(57)【特許請求の範囲】
【請求項１】
ステップと同期して移動する移動手摺と、
吹出口が前記移動手摺の側方に設けられ、前記吹出口から前記移動手摺を掴む乗客の手に向けて斜め上方に消毒剤を放出する除菌装置と、
を備え、
前記吹出口は、隣接する前記移動手摺の上面より低い位置に配置されたことを特徴とするマンコンベア。
【請求項２】
前記除菌装置は、前記吹出口から前記移動手摺の上方位置に向けて消毒剤を放出することを特徴とする請求項１に記載のマンコンベア。
【請求項３】
前記移動手摺がその縁部に沿って移動する内側板と、
前記内側板が立設されたデッキボードと、
を更に備え、
前記除菌装置は、前記デッキボードのアウターデッキに設けられ、前記移動手摺の外側から消毒剤の放出を行うことを特徴とする請求項１又は請求項２に記載のマンコンベア。
【請求項４】
前記移動手摺がその上面に沿って移動するデッキボードと、
前記デッキボードのインナーデッキから下方に設けられた内側板と、
を更に備え、
前記除菌装置は、その要部が前記デッキボードのアウターデッキに内蔵され、前記移動手摺の外側から消毒剤の放出を行うことを特徴とする請求項１又は請求項２に記載のマンコンベア。
【請求項５】
マンコンベアが運転中か否かを判定する運転状態判定部と、
を更に備え、
前記除菌装置は、常時は消毒剤の放出を停止し、前記運転状態判定部によってマンコンベアが運転中と判定されると、前記吹出口から消毒剤を放出させることを特徴とする請求項１から請求項４の何れかに記載のマンコンベア。
【請求項６】
マンコンベアの運転方向を判定する運転方向判定部と、
を更に備え、
前記除菌装置は、常時は消毒剤の放出を停止し、前記運転方向判定部によってマンコンベアが特定の方向に運転中と判定されると、前記吹出口から消毒剤を放出させることを特徴とする請求項１から請求項４の何れかに記載のマンコンベア。
【請求項７】
マンコンベアの乗客の有無を判定する人物判定部と、
を更に備え、
前記除菌装置は、常時は消毒剤の放出を停止し、前記人物判定部によって乗客有りが判定されると、前記吹出口から消毒剤を放出させることを特徴とする請求項１から請求項４の何れかに記載のマンコンベア。
【請求項８】
前記除菌装置によって手の除菌を行いたい乗客が所定の操作を行うための操作手段と、
を更に備え、
前記除菌装置は、常時は消毒剤の放出を停止し、前記操作手段に対して所定の操作が行われると、前記吹出口から消毒剤を放出させることを特徴とする請求項１から請求項４の何れかに記載のマンコンベア。
【請求項９】
前記除菌装置は、
オゾンを生成するオゾン発生器と、
を備え、前記オゾン発生器で生成したオゾンを前記吹出口から放出させることを特徴とする請求項１から請求項８の何れかに記載のマンコンベア。
【請求項１０】
前記除菌装置は、
前記吹出口から放出されるオゾンの濃度を検出するためのオゾン濃度計と、
を備え、前記オゾン濃度計によって所定値を超えるオゾン濃度が検出されると、前記オゾン発生器によるオゾンの生成を停止させることを特徴とする請求項９に記載のマンコンベア。
【請求項１１】
前記除菌装置は、
オゾンを生成するオゾン発生器と、
過酸化水素を噴霧する噴霧器と、
を備え、前記噴霧器から噴霧された過酸化水素と前記オゾン発生器で生成したオゾンとを反応させることにより、ヒドロキシラジカルを生成して前記吹出口から放出させることを特徴とする請求項１から請求項８の何れかに記載のマンコンベア。
【請求項１２】
前記除菌装置は、
所定の溶液からなる消毒剤が蓄えられたタンクと、
前記タンク内の消毒剤を前記吹出口から噴霧させる噴霧装置と、
を備えたことを特徴とする請求項１から請求項８の何れかに記載のマンコンベア。
【請求項１３】
前記除菌装置は、
前記タンク内の消毒剤の残量を検出する検出手段と、
前記検出手段によって前記タンク内の消毒剤の残量が所定値に満たないことが検出されると、消毒剤の補充が必要な旨を外部に報知する報知手段と、
を備えたことを特徴とする請求項１２に記載のマンコンベア。
【請求項１４】
前記操作手段は、乗客の手の接近を非接触で検出するセンサからなり、前記吹出口に隣接して配置されたことを特徴とする請求項８に記載のマンコンベア。
【請求項１５】
降り口で手の除菌を行うことができる旨を乗り口において案内する案内手段と、
を更に備え、
前記除菌装置は、降り口に設けられたことを特徴とする請求項１４に記載のマンコンベア。
【発明の詳細な説明】
【技術分野】
【０００１】
この発明は、除菌装置が備えられたマンコンベアに関するものである。
【背景技術】
【０００２】
エスカレーターや動く歩道といったマンコンベアでは、乗客が乗るステップと同期するように移動手摺が駆動されている。この移動手摺は、ステップに乗降する乗客やステップ上にいる乗客が掴むために備えられたものである。
【０００３】
本来、乗客は、マンコンベアを利用している間、常に移動手摺を掴んでいることが望ましい。しかし、マンコンベアは不特定多数の人によって使用されるものであるため、乗客の中には、移動手摺に触れることを不快に感じる人もいる。このため、マンコンベアを利用する際に移動手摺を一切掴まない乗客や、ステップに乗降する時だけ移動手摺を掴み、ステップ上に移動すると移動手摺を放してしまう乗客も散見される。
【０００４】
このような事情に鑑み、従来技術として、移動手摺の除菌装置を備えたマンコンベアも提案されている（例えば、特許文献１参照）。具体的に、特許文献１に記載のものでは、移動手摺に対して除菌効果を有する光を下方から照射し、その光を移動手摺の表面で散光させて、移動手摺と移動手摺に置かれた乗客の手先との除菌を行っている。
【先行技術文献】
【特許文献】
【０００５】
【特許文献１】実用新案登録第３０６６７７０号公報
【発明の概要】
【発明が解決しようとする課題】
【０００６】
マンコンベアを利用する際に移動手摺を掴まない乗客は、移動手摺が汚く、触れることによって自分の手が汚れるといったイメージを持っている人が多い。特許文献１に記載のものでは、除菌効果を有する光を移動手摺の表面で散光させて移動手摺や乗客の手先の除菌を行っているため、除菌できる範囲が非常に狭く、乗客の手を十分に除菌することができないといった問題があった。
【０００７】
この発明は、上述のような課題を解決するためになされたもので、その目的は、マンコンベアを利用する乗客の手を確実に除菌することができ、乗客が安心して移動手摺を掴むことができるマンコンベアを提供することである。
【課題を解決するための手段】
【０００８】
この発明に係るマンコンベアは、ステップと同期して移動する移動手摺と、吹出口が移動手摺の側方に設けられ、吹出口から移動手摺を掴む乗客の手に向けて斜め上方に消毒剤を放出する除菌装置と、を備え、吹出口は、隣接する移動手摺の上面より低い位置に配置されたものである。
【発明の効果】
【００１２】
この発明に係るマンコンベアであれば、マンコンベアを利用する乗客の手を確実に除菌することができ、乗客が安心して移動手摺を掴むことができるようになる。
【図面の簡単な説明】
【００１３】
【図１】この発明の実施の形態１におけるマンコンベアを示す斜視図である。
【図２】図１に示すマンコンベアの要部断面図である。
【図３】図１に示すマンコンベアの要部平面図である。
【図４】この発明の実施の形態１における除菌装置の構成を示す図である。
【図５】この発明の実施の形態２におけるマンコンベアの要部を示す断面図である。
【図６】この発明の実施の形態２におけるマンコンベアの要部を示す平面図である。
【図７】この発明の実施の形態３におけるマンコンベアの要部を示す斜視図である。
【図８】この発明の実施の形態４におけるマンコンベアの構成を示す図である。
【図９】この発明の実施の形態４におけるマンコンベアの動作を示すフローチャートである。
【図１０】この発明の実施の形態５におけるマンコンベアの構成を示す図である。
【図１１】この発明の実施の形態５におけるマンコンベアの動作を示すフローチャートである。
【図１２】この発明の実施の形態６におけるマンコンベアの構成を示す図である。
【図１３】この発明の実施の形態６におけるマンコンベアの動作を示すフローチャートである。
【図１４】この発明の実施の形態７におけるマンコンベアの要部を示す断面図である。
【図１５】この発明の実施の形態７における除菌装置の構成を示す図である。
【図１６】この発明の実施の形態７におけるマンコンベアの動作を示すフローチャートである。
【図１７】この発明の実施の形態８におけるマンコンベアの構成を示す側面図である。
【図１８】この発明の実施の形態８におけるマンコンベアの他の構成を示す側面図である。
【発明を実施するための形態】
【００１４】
この発明をより詳細に説明するため、添付の図面に従ってこれを説明する。なお、各図中、同一又は相当する部分には同一の符号を付しており、その重複説明は適宜に簡略化ないし省略する。
また、以下においては、マンコンベアの一例として、上下階床間の移動に使用されるエスカレーターについて具体的な説明を行い、動く歩道等の他の例については、その説明を省略する。
【００１５】
実施の形態１．
図１はこの発明の実施の形態１におけるマンコンベアを示す斜視図であり、エスカレーターの下部乗降口を示している。なお、図１に示す下部乗降口は、エスカレーターが上りの場合は乗り口を、エスカレーターが下りの場合は降り口を構成する。本実施の形態においては、下部乗降口がエスカレーターの乗り口及び降り口の何れであっても構わない。
【００１６】
図１において、１は乗客が上下階床間を移動する際に乗るステップ、２はステップ１の両側に設けられたデッキボード、３はデッキボード２に支持されたガラスパネル等の内側板、４はステップ１に乗降する乗客やステップ１上にいる乗客が掴むための移動手摺、５はステップ１から降りた乗客、或いはステップ１に乗る乗客を下部乗降口において誘導するための誘導柵である。
【００１７】
移動手摺４は、一般に断面Ｃ字状を呈しており、無端状に形成されている。移動手摺４はステップ１と同期して移動するように駆動されており、その上側部分と乗降口における反転部分とが内側板３の縁部に沿って移動する。なお、移動手摺４の下側部分は、デッキボード２やトラス（図示せず）内を移動する。
【００１８】
本エスカレーターには、下部乗降口（その近傍も含む）に、所定の消毒剤を用いて乗客の手を除菌するための除菌装置６が備えられている。本実施の形態における除菌装置６では、乗客の手を除菌するための消毒剤として、除菌性能の優れたオゾンを使用している。
【００１９】
以下に、図２乃至図４も参照し、除菌装置６の構成及び機能について具体的に説明する。なお、図２は図１に示すマンコンベアの要部断面図であり、図１のＡ−Ａ矢視を示している。図３は図１に示すマンコンベアの要部平面図であり、図２に示す部分を上から見た図に相当する。図４はこの発明の実施の形態１における除菌装置の構成を示す図である。
【００２０】
ガラスパネル製の内側板３は、エスカレーターの長手に沿ってデッキボード２に立設されている。図中、２ａはデッキボード２のうち、内側板３よりもステップ１側に配置された部分からなるインナーデッキ、２ｂはデッキボード２のうち、内側板３よりも外側（反ステップ１側）に配置された部分からなるアウターデッキである。また、７はインナーデッキ２ａから下方に設けられたスカートガードを示している。
【００２１】
エスカレーターに上記構成のデッキボード２及び内側板３が備えられている場合、除菌装置６は、例えば、アウターデッキ２ｂの上面に設けられ、内側板３と隣接する壁８との間に配置される。そして、除菌装置６は、移動手摺４の外側から、移動手摺４を掴む乗客の手に向けてオゾンを放出し、乗客の手にオゾンを吹き付けて除菌を行う。例えば、オゾンの吹出口６ａは、移動手摺４のうち、下部乗降口で水平に移動する部分の側方において、隣接する移動手摺４の上面高さよりも僅かに低い位置に配置されており、除菌装置６は、移動手摺４の側方に配置されたこの吹出口６ａから、移動手摺４の上方位置に向けて斜め上方にオゾンを放出する。かかる構成であれば、移動手摺４を掴もうとしている（或いは、移動手摺４を放した直後の）乗客の手の平全体に的確にオゾンを当てることができ、優れた除菌効果が期待できる。また、吹出口６ａから放出されたオゾンの一部は、移動手摺４にも接触するため、移動手摺４の表面の除菌も同時に行うことができる。
【００２２】
なお、オゾンを放出するための吹出口６ａは、移動手摺４に近接して設けられていれば良く、他の構成を有していても構わない。例えば、隣接する移動手摺４の上面高さよりも高い位置に吹出口６ａを配置した場合は、移動手摺４の乗客が掴む部分或いはその僅か上方位置に向けてオゾンの放出を行えば良い。かかる構成であっても、移動手摺４を掴む乗客の手に対して的確にオゾンを吹き付けることができる。
【００２３】
次に、図４を参照し、除菌装置６の機能について説明する。
除菌装置６は、図４に示すように、例えば、オゾン発生器９、オゾン濃度計１０、制御部１１、記録部１２により、その要部が構成される。
【００２４】
オゾン発生器９は、オゾンを生成する機能を有しており、例えば、生成したオゾンを所定のオゾン室１３に供給する。即ち、オゾン発生器９からオゾン室１３内に供給されたオゾンが、乗客の手に向けて吹出口６ａから放出される。
オゾン濃度計１０は、吹出口６ａから放出されるオゾンの濃度を検出するために備えられたものである。オゾン濃度計１０は、例えば、オゾン室１３内のオゾン濃度を、吹出口６ａから放出されるオゾンの濃度として検出し、その検出結果を制御部１１に対して出力する。
【００２５】
制御部１１は、オゾン濃度計１０の検出結果や記録部１２の記録内容に基づいて、除菌装置６の動作制御、即ち、オゾンの放出制御を行う機能を有している。なお、記録部１２には、例えば、オゾンの放出制御を行うために必要な各種パラメーターが予め記録されている。制御部１１は、記録部１２の記録内容に基づいてオゾン発生器９にオゾンを生成させ、適正なオゾン濃度及び放出量で吹出口６ａからオゾンを放出させる。また、制御部１１は、オゾン濃度計１０によって所定値を超えるオゾン濃度が検出されると、オゾン発生器９によるオゾンの生成を停止させる。これにより、吹出口６ａからのオゾンの放出も停止され、高濃度のオゾンが乗客に対して吹き付けられることを防止する。
【００２６】
上記構成のエスカレーターであれば、乗り口で乗客が移動手摺４を掴もうとしている時（或いは、降り口で移動手摺４を放した直後）に、除菌装置６から放出される消毒剤（オゾン）によって、乗客の手を確実に除菌することができる。特に、上記構成の除菌装置６では、吹出口６ａが移動手摺４の側方に配置され、この吹出口６ａから乗客の手に向けてオゾンが放出されるため、オゾンを乗客の手全体に行き渡らせることができ、優れた除菌効果が期待できる。また、吹出口６ａから放出されたオゾンの一部は、移動手摺４にも接触するため、移動手摺４の表面のうち、乗客が掴む部分の除菌も同時に行うことが可能である。
【００２７】
また、乗客の手を除菌するための消毒剤としてオゾンを採用すれば、他の薬剤等を採用する場合のように耐性菌が発生する恐れもなく、長期に渡って高い除菌性能を維持できる。
このため、乗客は、エスカレーターを利用する際に、安心して移動手摺４を掴むことができるようになる。
【００２８】
なお、本実施の形態においては、除菌装置６がエスカレーターの下部乗降口に設置されている場合について説明を行った。しかし、これは単に一例を示したものであり、除菌装置６は、上部乗降口に設置されていても構わない。また、下部乗降口と上部乗降口との双方に除菌装置６が設置されていても構わない。
【００２９】
エスカレーターの乗り口に上記構成の除菌装置６が備えられている場合、乗客は、除菌が行われた清潔な状態でエスカレーターを利用することができる。また、除菌装置６がエスカレーターの降り口に備えられている場合、乗客は、除菌が行われた清潔な手のままエスカレーターを降りることができる。除菌装置６を乗り口及び降り口の双方に備えておけば、上記双方の効果が得られることは言うまでもない。
【００３０】
また、本実施の形態では、オゾン発生器９で生成されたオゾンをそのまま吹出口６ａから放出する場合について説明したが、除菌装置６に他の機能を追加して、除菌性能を更に高めるように構成しても良い。
【００３１】
例えば、本実施の形態における除菌装置６に、オゾン室１３内に過酸化水素を噴霧する噴霧器（図示せず）を追加する。そして、この噴霧器から噴霧された過酸化水素とオゾン室１３内のオゾンとを反応させることにより、より酸化力の高い活性種からなるヒドロキシラジカルを生成して吹出口６ａから放出させる。かかる構成であれば、酸化力の高いヒドロキシラジカルを乗客の手や移動手摺４に吹き付けることができ、消毒剤（ヒドロキシラジカル）に触れる時間が短い場合であっても、高い除菌効果が期待できる。
【００３２】
実施の形態２．
図５はこの発明の実施の形態２におけるマンコンベアの要部を示す断面図、図６はこの発明の実施の形態２におけるマンコンベアの要部を示す平面図である。実施の形態１では、エスカレーターに、ガラスパネル等からなる内側板３が備えられている場合について説明を行った。本実施の形態では、エスカレーターに、ステンレスパネル等からなる内側板１４が備えられている場合について説明する。
【００３３】
内側板１４がステンレスパネル等からなる場合、デッキボード１５は、移動手摺４の直ぐ下方に配置される。なお、１５ａはデッキボード１５のうち、移動手摺４の支持部分よりもステップ１側に配置された部分からなるインナーデッキ、１５ｂはデッキボード１５のうち、移動手摺４の支持部分よりも外側（反ステップ１側）に配置された部分からなるアウターデッキである。内側板１４は、インナーデッキ１５ａのステップ１側端部から下方に設けられ、下端部がスカートガード７に連続するように構成されている。
【００３４】
移動手摺４は、その上側部分と乗降口における反転部分とがデッキボード１５の上面及び乗降口における湾曲面とに沿って移動し、下側部分が、デッキボード１５やトラス（図示せず）内に配置される。
【００３５】
エスカレーターに上記構成のデッキボード１５及び内側板１４が備えられている場合、除菌装置６は、例えば、その本体部分がアウターデッキ１５ｂに内蔵され、吹出口６ａを形成する部分のみ、アウターデッキ１５ｂの上面から突出するように配置される。そして、除菌装置６は、実施の形態１の場合と同様に、移動手摺４の外側から、移動手摺４を掴む乗客の手に向けてオゾンを放出し、乗客の手にオゾンを吹き付けて除菌を行う。例えば、オゾンの吹出口６ａは、移動手摺４のうち、乗降口で水平に移動する部分の側方において、隣接する移動手摺４の上面高さよりも僅かに低い位置に配置されており、除菌装置６は、移動手摺４の側方に配置されたこの吹出口６ａから、移動手摺４の上方位置に向けて斜め上方にオゾンを放出する。
【００３６】
除菌装置６の機能等を含め、他の構成は、実施の形態１と同様である。
かかる構成を有することにより、上記構成のデッキボード１５及び内側板１４が備えられたエスカレーターにおいても、実施の形態１と同様の効果を奏することが可能となる。
【００３７】
実施の形態３．
図７はこの発明の実施の形態３におけるマンコンベアの要部を示す斜視図である。本実施の形態においては、誘導柵５に除菌装置６を設置し、誘導柵５を掴む乗客の手に向けてオゾンの放出を行う場合について説明する。
【００３８】
除菌装置６は、誘導柵５を掴む乗客の手に向けてオゾンの放出を行うため、オゾン発生器９等を含む本体部分が、例えば、誘導柵５の一部を構成するポール５ａの内部に設けられている。また、誘導柵５には、乗客が掴む横棒部材（一番上に配置されている横棒部材）５ｂに、上向き（斜め上向きも含む）に開口する吹出口６ａが複数形成されており、除菌装置６と各吹出口６ａとが、誘導柵５の内部において、配管５ｃによって接続されている。即ち、オゾン発生器９において生成されたオゾンは、配管５ｃを通って吹出口６ａから外部に放出され、横棒部材５ｂを掴む乗客の手に吹き付けられる。
その他は、実施の形態１と同様の構成を有している。
【００３９】
かかる構成においても、除菌性能の優れたオゾンを用いてエスカレーターの乗客の手を確実に除菌することができ、乗客は、エスカレーターを利用する際に、安心して移動手摺４を掴むことができるようになる。
【００４０】
実施の形態４．
図８はこの発明の実施の形態４におけるマンコンベアの構成を示す図、図９はこの発明の実施の形態４におけるマンコンベアの動作を示すフローチャートである。本実施の形態においては、除菌装置６が有する他の機能について具体的な説明を行う。
なお、以下の実施の形態においては、除菌装置６について、実施の形態１乃至３に示した何れの配置が採用されていても構わない。
【００４１】
図８において、１６はエスカレーターが運転中か否かを判定する機能を備えた運転状態判定部である。運転状態判定部１６は、例えば、ステップ１や移動手摺４が移動（走行）していればエスカレーターが運転中である旨を、ステップ１や移動手摺４が停止していればエスカレーターが停止中である旨を判定する。そして、制御部１１は、運転状態判定部１６の判定結果を受信すると、その判定結果も考慮して、除菌装置６の動作を適切に制御する。
【００４２】
なお、運転状態判定部１６は、エスカレーターの制御盤（図示せず）からの情報に基づいて上記判定処理を行っても良いし、制御盤とは別の装置を設置して、この別装置から上記判定処理に必要な情報を得ても良い。上記別装置から必要な情報を得る場合、例えば、移動手摺４の移動に連動して回転するようにローラを設置し、そのローラの回転数（角度）をエンコーダ等によって検出する。
【００４３】
次に、図９も参照し、上記構成を有するエスカレーターの具体的な動作について説明する。
運転状態判定部１６では、エスカレーターが運転中か或いは停止中かを判断し、その結果を除菌装置６の制御部１１に対して出力する。制御部１１は、運転状態判定部１６によってエスカレーターが停止中と判定された場合（Ｓ１０１のＮｏ）、オゾン発生器９に対して停止信号を出力し、オゾンの生成を停止させる（Ｓ１０２）。即ち、エスカレーターが停止中であれば、除菌装置６（の吹出口６ａ）からオゾンは放出されない。
【００４４】
一方、運転状態判定部１６によってエスカレーターが運転中と判定された場合（Ｓ１０１のＹｅｓ）、制御部１１は、次に、オゾン濃度計１０によって検出されたオゾン濃度が規定値以内であるか否かを判定する（Ｓ１０３）。ここで、オゾン濃度計１０によって規定値を超えるオゾン濃度が検出されると（Ｓ１０３のＮｏ）、制御部１１は、Ｓ１０２に進んでオゾンの生成を停止させる。また、オゾン濃度計１０によって検出されたオゾン濃度が規定値以内であれば（Ｓ１０３のＹｅｓ）、制御部１１は、オゾン発生器９にオゾンの生成を行わせ、吹出口６ａから所定の低濃度のオゾンを放出させる（Ｓ１０４）。
【００４５】
この発明の実施の形態４によれば、エスカレーターの運転に応じた最適な除菌処理を行うことができるようになる。
なお、上記規定値は、例えば、記録部１２に予め記録されている。
【００４６】
実施の形態５．
図１０はこの発明の実施の形態５におけるマンコンベアの構成を示す図、図１１はこの発明の実施の形態５におけるマンコンベアの動作を示すフローチャートである。
【００４７】
図１０において、１７はエスカレーターの運転方向を判定する機能を備えた運転方向判定部である。運転方向判定部１７は、例えば、エスカレーターが運転中である場合に、ステップ１や移動手摺４の走行方向、或いは、ステップ１等を駆動する駆動装置（図示せず）への制御信号等に基づいて、エスカレーターの運転方向を判定する。そして、制御部１１は、運転方向判定部１７の判定結果を受信すると、その判定結果も考慮して、除菌装置６の動作を適切に制御する。
【００４８】
なお、運転方向判定部１７についても上記運転状態判定部１６と同様に、エスカレーターの制御盤からの情報に基づいて上記判定処理を行っても良いし、制御盤とは別の装置を設置して、この別装置から上記判定処理に必要な情報を得ても良い。
【００４９】
次に、図１１も参照し、上記構成を有するエスカレーターの具体的な動作について説明する。
運転方向判定部１７では、エスカレーターがＵＰ方向に運転中か、ＤＯＷＮ方向に運転中かを判断し、その結果を除菌装置６の制御部１１に対して出力する。制御部１１では、先ず、運転方向判定部１７の判定結果に基づいてエスカレーターが運転中であるか否かを判断し（Ｓ２０１）、エスカレーターが停止中であれば、オゾン発生器９によるオゾンの生成を停止させる（Ｓ２０２）。即ち、エスカレーターが停止中であれば、除菌装置６（の吹出口６ａ）からオゾンは放出されない。なお、制御部１１は、例えば、運転方向判定部１７によって、エスカレーターがＵＰ方向に運転中或いはＤＯＷＮ方向に運転中との判定がなされない場合に、エスカレーターが停止中と判断する。
【００５０】
エスカレーターが運転中である場合、制御部１１は、運転方向判定部１７の判定結果に基づいてエスカレーターの運転方向が特定の方向であるか否かを判断する（Ｓ２０３）。エスカレーターの現在の運転方向が予め定められている所定の方向ではない場合（Ｓ２０３のＮｏ）、制御部１１は、Ｓ１０２に進んでオゾンの生成を停止させる。
【００５１】
一方、エスカレーターの現在の運転方向が予め定められている所定の方向と一致する場合（Ｓ２０３のＹｅｓ）、制御部１１は、オゾン濃度計１０によって検出されたオゾン濃度が規定値以内であるか否かを判定する（Ｓ２０４）。ここで、オゾン濃度計１０によって規定値を超えるオゾン濃度が検出されると（Ｓ２０４のＮｏ）、制御部１１は、Ｓ２０２に進んでオゾンの生成を停止させる。また、オゾン濃度計１０によって検出されたオゾン濃度が規定値以内であれば（Ｓ２０４のＹｅｓ）、制御部１１は、オゾン発生器９にオゾンの生成を行わせ、吹出口６ａから所定の低濃度のオゾンを放出させる（Ｓ２０５）。
【００５２】
この発明の実施の形態５によれば、エスカレーターの運転方向に応じた最適な除菌処理を行うことができるようになる。このため、例えば、乗り口側の除菌装置６のみを動作させたり、降り口側の除菌装置６のみを動作させたりする等、エスカレーターの設置場所や時間帯に応じた適切な制御を行うことが可能となる。
なお、除菌処理を行うための運転方向（上記特定の方向）や上記規定値は、例えば、記録部１２に予め記録されている。
【００５３】
実施の形態６．
図１２はこの発明の実施の形態６におけるマンコンベアの構成を示す図、図１３はこの発明の実施の形態６におけるマンコンベアの動作を示すフローチャートである。
【００５４】
図１２において、１８はエスカレーターの乗客の有無を判定する機能を備えた人物判定部である。人物判定部１８は、例えば、赤外線センサやカメラ画像処理、重量検出等を利用してエスカレーターの乗客の有無を判定する。そして、制御部１１は、人物判定部１８の判定結果を受信すると、その判定結果も考慮して、除菌装置６の動作を適切に制御する。
【００５５】
次に、図１３も参照し、上記構成を有するエスカレーターの具体的な動作について説明する。なお、図１３のＳ３０１乃至Ｓ３０３に示す動作は、上記Ｓ２０１乃至Ｓ２０３に示す動作と同じであるため、その説明は省略する。
【００５６】
人物判定部１８では、人物を検出したか、即ち、エスカレーターの乗客の有無を判断し、その結果を除菌装置６の制御部１１に対して出力する。制御部１１では、Ｓ３０３においてＹｅｓの判定がなされると、人物判定部１８の判定結果に基づいてエスカレーターの乗客の有無を判断し（Ｓ３０４）、乗客がいなければ、オゾン発生器９によるオゾンの生成を停止させる（Ｓ３０２）。即ち、エスカレーターの乗客がいない場合、除菌装置６（の吹出口６ａ）からオゾンは放出されない。
【００５７】
一方、人物判定部１８によって乗客有りが判定された場合（Ｓ３０４のＹｅｓ）、制御部１１は、オゾン濃度計１０によって検出されたオゾン濃度が規定値以内であるか否かを判定する（Ｓ３０５）。ここで、オゾン濃度計１０によって規定値を超えるオゾン濃度が検出されると（Ｓ３０５のＮｏ）、制御部１１は、Ｓ３０２に進んでオゾンの生成を停止させる。また、オゾン濃度計１０によって検出されたオゾン濃度が規定値以内であれば（Ｓ３０５のＹｅｓ）、制御部１１は、オゾン発生器９にオゾンの生成を行わせ、吹出口６ａから所定の低濃度のオゾンを放出させる（Ｓ３０６）。
【００５８】
この発明の実施の形態６によれば、エスカレーターの乗客の有無に応じた最適な除菌処理を行うことができ、無駄なオゾンの発生を防止できる。
【００５９】
実施の形態７．
図１４はこの発明の実施の形態７におけるマンコンベアの要部を示す断面図、図１５はこの発明の実施の形態７における除菌装置の構成を示す図である。上記実施の形態１乃至６では、乗客の手を除菌するための消毒剤としてオゾンを用いる場合について説明した。本実施の形態では、オゾン以外の消毒剤を用いて乗客の手を除菌する場合について説明する。
【００６０】
図１５に示すように、本実施の形態における除菌装置６は、タンク１９、噴霧装置２０、制御部１１、記録部１２、運転状態判定部１６により、その要部が構成される。
タンク１９は、乗客の手を除菌するための消毒剤が入った容器である。例えば、タンク１９内には、消毒剤として、０．０５％程度の塩化ベンザルコニウム液や、７５％程度のエタノール液といった所定の溶液が蓄えられている。噴霧装置２０は、移動手摺４を掴もうとしている（或いは、移動手摺４を放した直後の）乗客の手に向けて、タンク１９内の消毒剤を吹出口６ａから噴霧させる機能を有している。
【００６１】
制御部１１は、記録部１２の記録内容等に基づいて、除菌装置６の動作制御、即ち、噴霧装置２０による消毒剤の噴霧を制御する。例えば、記録部１２には、消毒剤の噴霧制御を行うために必要な各種パラメーターが予め記録されている。制御部１１は、記録部１２の記録内容に基づいて噴霧装置２０を動作させ、適正な噴霧量で消毒剤の吹き付けを行う。また、制御部１１には、タンク１９内の消毒剤の残量を検出する検出機能も備えられている。制御部１１は、タンク１９内の消毒剤の残量が所定値（所定量）に満たないことを検出すると、消毒剤の噴霧を停止させるとともに、所定の報知手段（図示せず）から表示やアナウンス、発報等を行って、消毒剤が足りないこと（消毒剤の補充が必要なこと）を報知する。
【００６２】
除菌装置６（の噴霧機能）以外の構成は、前述した何れかの実施の形態の構成と同様である。図１４には、ガラスパネル製の内側板３を有するエスカレーターに、上記除菌装置６を適用した場合を示しているが、図５や図７に示す構成と同様の構成を採用することにより、ステンレスパネル製の内側板１４を有するエスカレーターや乗降口の誘導柵５にも上記除菌装置６が適用できることは言うまでもない。
【００６３】
次に、図１６も参照し、上記除菌装置６を備えたエスカレーターの動作について具体的に説明する。なお、図１６はこの発明の実施の形態７におけるマンコンベアの動作を示すフローチャートである。
【００６４】
運転状態判定部１６では、エスカレーターが運転中か或いは停止中かを判断し、その結果を除菌装置６の制御部１１に対して出力する。制御部１１は、運転状態判定部１６によってエスカレーターが停止中と判定された場合（Ｓ４０１のＮｏ）、噴霧装置２０に対して停止信号を出力し、消毒剤の噴霧を停止させる（Ｓ４０２）。即ち、エスカレーターが停止中であれば、除菌装置６（の吹出口６ａ）から消毒剤は放出されない。
【００６５】
一方、運転状態判定部１６によってエスカレーターが運転中と判定された場合（Ｓ４０１のＹｅｓ）、制御部１１は、次に、タンク１９内の消毒剤の残量を検出し、タンク１９内に所定量の消毒剤が残っているか否かを判定する（Ｓ４０３）。ここで、消毒剤の残量が所定値を下回っていれば（Ｓ４０３のＮｏ）、制御部１１は、Ｓ４０２に進んで消毒剤の噴霧を停止させる。また、制御部１１は、所定の表示や発報等を行い、タンク１９内の消毒剤が足りないことを外部に報知する。一方、タンク１９内に所定量以上の消毒剤が残っていれば（Ｓ４０３のＹｅｓ）、制御部１１は、噴霧装置２０に消毒剤の噴霧を行わせ、吹出口６ａから所定量の消毒剤を噴射させる（Ｓ４０４）。
【００６６】
本実施の形態においても、実施の形態１と同様の効果を奏することができる。
即ち、上記構成のエスカレーターであれば、乗り口で乗客が移動手摺４を掴もうとしている時（或いは、降り口で移動手摺４を放した直後）に、除菌装置６から放出される消毒剤（塩化ベンザルコニウム液やエタノール液）によって、乗客の手を確実に除菌することができる。また、上記構成の除菌装置６であれば、乗客の手に向けて霧状の消毒剤が吹き付けられるため、消毒剤を乗客の手全体に行き渡らせることができ、優れた除菌効果が期待できる。また、吹出口６ａから噴霧された消毒剤の一部は、移動手摺４にも接触するため、移動手摺４の表面のうち、乗客が掴む部分の除菌も同時に行うことが可能である。
したがって、乗客は、エスカレーターを利用する際に、安心して移動手摺４を掴むことができる。
【００６７】
なお、本実施の形態では、運転状態判定部１６を有する除菌装置６の機能について具体的な説明を行った。しかし、これは単に一例を示したものであり、除菌装置６に、運転方向判定部１７や人物判定部１８が備えられていても構わない。かかる構成を有することにより、塩化ベンザルコニウム液等の噴霧機能を備えた除菌装置６においても、実施の形態５や６と同様の機能を備えることができる。
【００６８】
実施の形態８
エスカレーターは不特定多数の人によって利用されるものであるため、乗客の中には、自分の手に向けて消毒剤が吹き付けられることを希望しない人がいることも想定される。本実施の形態におけるエスカレーターは、このような乗客のことも考慮し、手（及び、移動手摺４）の除菌を行うか否かの選択を乗客自身が行うための構成を有している。
【００６９】
図１７はこの発明の実施の形態８におけるマンコンベアの構成を示す側面図であり、エスカレーターの降り口の構成を示している。図１７に示すエスカレーターでは、乗客が手の除菌を行うための除菌装置６を、ステップ１から離れた降り口の床面上に設置している。そして、この除菌装置６に、消毒剤の吹出口６ａに隣接してセンサ２１（操作手段）を設置している。センサ２１は、エスカレーターの降り口で手の除菌を行いたい乗客が操作するためのものであり、乗客の手の接近を非接触で検出する機能を有している。即ち、除菌装置６の制御部１１は、常時は吹出口６ａからの消毒剤の放出を停止するとともに、乗客がセンサ２１に手をかざしてその手がセンサ２１によって検出されると、吹出口６ａから所定量の消毒剤を放出させる。
【００７０】
なお、エスカレーターの降り口に除菌装置６を設置する場合は、降り口で手の除菌を行うことができることを報知するため、その旨を案内する案内手段（例えば、表示装置やアナウンス装置、プレート等）をエスカレーターの乗り口に設置しても良い。
【００７１】
また、図１８はこの発明の実施の形態８におけるマンコンベアの他の構成を示す側面図であり、エスカレーターの乗り口の構成を示している。図１８において、２２はエスカレーターの乗り口で手の除菌を行いたい乗客が操作するための消毒釦（操作手段）である。即ち、除菌装置６の制御部１１は、常時は吹出口６ａからの消毒剤の放出を停止するとともに、消毒釦２２が押されると、吹出口６ａから所定量の消毒剤を放出させる。消毒釦２２と吹出口６ａとの距離が離れている場合、制御部１１は、消毒釦２２が押されてから所定時間が経過した後に、消毒剤を噴射する。
【００７２】
なお、図１８に示すものにおいても操作手段として上記センサ２１を採用し、センサ２１を吹出口６ａに隣接して配置しても構わない。
また、図１７及び図１８には、ガラスパネル製の内側板３を有するエスカレーターに適用した場合を示しているが、消毒釦２１やセンサ２２等を適宜設置することにより、ステンレスパネル製の内側板１４を有するエスカレーターや乗降口の誘導柵５にも適用できることは言うまでもない。
【００７３】
上記構成を採用することにより、手の除菌を希望する乗客がエスカレーターを利用する場合のみ、乗降口において除菌装置６から消毒剤を噴射させることができるようになる。
【符号の説明】
【００７４】
１  ステップ
２、１５  デッキボード
２ａ、１５ａ  インナーデッキ
２ｂ、１５ｂ  アウターデッキ
３、１４  内側板
４  移動手摺
５  誘導柵
５ａ  ポール
５ｂ  横棒部材
５ｃ  配管
６  除菌装置
６ａ  吹出口
７  スカートガード
８  壁
９  オゾン発生器
１０  オゾン濃度計
１１  制御部
１２  記録部
１３  オゾン室
１６  運転状態判定部
１７  運転方向判定部
１８  人物判定部
１９  タンク
２０  噴霧装置
２１  センサ
２２  消毒釦
【図１】
0005627382.tif 000002
【図２】
0005627382.tif 000003
【図３】
0005627382.tif 000004
【図４】
0005627382.tif 000005
【図５】
0005627382.tif 000006
【図６】
0005627382.tif 000007
【図７】
0005627382.tif 000008
【図８】
0005627382.tif 000009
【図９】
0005627382.tif 000010
【図１０】
0005627382.tif 000011
【図１１】
0005627382.tif 000012
【図１２】
0005627382.tif 000013
【図１３】
0005627382.tif 000014
【図１４】
0005627382.tif 000015
【図１５】
0005627382.tif 000016
【図１６】
0005627382.tif 000017
【図１７】
0005627382.tif 000018
【図１８】
0005627382.tif 000019